(57)【要約】【課題】蓋体を開いた際に、塗布具が摘み易く、塗布具の取り出しが容易であるとともに、塗布具の落下を効果的に防止することができる化粧用コンパクトケースを提供すること。【解決手段】化粧料収容部１２と化粧料の塗布具４を収容する塗布具収容部１３とが横方向Ｘに並べて配置されたケース本体１１と、蝶番部を介してケース本体１１に開閉可能に取り付けた蓋体１５とを備えた化粧用コンパクトケース１であり、蓋体１５の回動に連動して、塗布具収容部内に収容された塗布具４を、部分的に持ち上げ傾斜状態とする塗布具持上げ部材１８を備えており、塗布具持ち上げ部材１８は、塗布具収容部に収容された塗布具４の、化粧料収容部１２側に位置する内側側部又はその反対側に位置する外側側部を持ち上げるように構成されている。【選択図】図１
2014233412.tif 000002
【特許請求の範囲】
【請求項１】
化粧料収容部と化粧料の塗布具を収容する塗布具収容部とが横方向に並べて配置されたケース本体と、蝶番部を介して該ケース本体に開閉可能に取り付けた蓋体とを備えた化粧用コンパクトケースであって、
前記蓋体の回動に連動して、前記塗布具収容部内に収容された塗布具を、部分的に持ち上げ傾斜状態とする塗布具持上げ部材を備えており、
前記塗布具持ち上げ部材は、前記塗布具収容部に収容された塗布具の前記化粧料収容部側に位置する内側側部又はその反対側に位置する外側側部を持ち上げるように構成されている、化粧用コンパクトケース。
【請求項２】
部分的に持ち上げられた状態の塗布具が、前記塗布具収容部における、前記化粧料収容部側に位置する内側側面又はその反対側に位置する外側側面に当接するように構成されている、請求項１記載の化粧用コンパクトケース。
【請求項３】
部分的に持ち上げられた状態の塗布具が、前記塗布具収容部における、前記内側側面又は前記外側側面に加えて、該塗布具収容部における前面にも当接するように構成されている、請求項１又は２記載の化粧用コンパクトケース。
【請求項４】
前記塗布具持上げ部材が、前記塗布具の重心からずれた位置の下面に当接して該塗布具を押し上げるように構成されている、請求項１〜３の何れか１項に記載の化粧用コンパクトケース。
【請求項５】
前記塗布具持上げ部材は、前記塗布具の、前記内側側部及び前記外側側部の何れか一方の側部の下部が、該側部に沿って連続的に前記塗布具収容部の底部に当接した状態下に、他方の側部を持ち上げるように構成されている、請求項１〜４の何れか１項に記載の化粧用コンパクトケース。
【請求項６】
前記塗布具の最大傾斜角度が、１５°以上５０°以下である、請求項１〜５の何れか１項に記載の化粧用コンパクトケース。
【請求項７】
前記塗布具持上げ部材は、前記蓋体と同一の回動軸に枢着され、前記塗布具収容部に延在しており、
前記塗布具持上げ部材には、前記蓋体の回動操作によって蓋側係止部に係止して該塗布具持上げ部材を回動する係止部が設けられている、請求項１〜６の何れか１項に記載の化粧用コンパクトケース。
【請求項８】
前記塗布具持上げ部材は、蓋体の回動操作の途中で該塗布具持上げ部材の回動を制限するストッパー部を備えており、
前記塗布具持上げ部材の係止部は、該塗布具持上げ部材の回動が制限されると、前記蓋体の回動操作力によって蓋側係止部との係止を解除可能に形成されている、請求項７記載の化粧用コンパクトケース。
【請求項９】
前記塗布具持上げ部材の係止部は、該塗布具持上げ部材の枢着部の周方向の周面に形成された、前記蝶番部の軸ピンからの距離がこれの周方向両側の部分よりも大きくなった部分であり、前記蓋側係止部は前記塗布具持上げ部材の枢着部の周方向の周面に対向して設けられている請求項７又は８記載の化粧用コンパクトケース。
【請求項１０】
前記ケース本体に、化粧料収容部に収容された化粧料が蓋体に設けられた鏡に付着するのを防止する保護シートが取り付けられており、閉蓋状態から開蓋状態とすることで、該保護シートが部分的に持ち上がり傾斜状態となるようになされている、請求項１〜９の何れか１項に記載の化粧用コンパクトケース。
【請求項１１】
前記塗布具持上げ部材に、文字又は模様が付与されている請求項１〜１０の何れか１項に記載の化粧用コンパクトケース。
【発明の詳細な説明】
【技術分野】
【０００１】
本発明は、化粧用コンパクトケースに関する。
【背景技術】
【０００２】
ファンデーション、チーク、アイシャドウ等の化粧料を収容する化粧用コンパクトケースとして、化粧料を収容する化粧料収容部と、化粧料の塗布具を収容する塗布具収容部とが形成されたケース本体と、蝶番部を介して該ケース本体に開閉可能に取り付けた蓋体とを備えたものが知られている。化粧料の塗布具としては、例えば、パフと呼ばれるスポンジ状の塗布具が汎用されており、化粧をする際には、パフで化粧料を擦り取って肌面等に塗布する。このような化粧用コンパクトケースとして、本出願人は、先に、蓋体の回動に連動して回動する塗布具持上げ部材により塗布具を持ち上げ可能とし、蓋体を開放した際に、塗布具収容部に収容された塗布具の周縁部分を摘み易くして、塗布具をケース本体からスムーズに取り出すことができるようにした化粧用コンパクトケースを提案した（特許文献１参照）。
【０００３】
また、パフ等の塗布具を取り出し易くした化粧用コンパクトケースとして、ケース本体の化粧料収容部の上方に中板を設け、該中板上に塗布具を配置したもの（特許文献２参照）や、ケース本体の塗布具収容部にヒンジ片やヒンジ部を有する押し上げ板を設け、ヒンジ片や押し上げ板を屈曲させることにより、塗布具を押し上げ可能としたもの（特許文献３，４参照）が提案されている。
【先行技術文献】
【特許文献】
【０００４】
【特許文献１】特開２００９−２４７６１８号公報
【特許文献２】実開平５−６８４１０号公報
【特許文献３】実開昭６３−１９９７０３号公報
【特許文献４】実開昭６１−６７６１３号公報
【発明の概要】
【発明が解決しようとする課題】
【０００５】
特許文献１の化粧用コンパクトケースによれば、蓋体を開放した際に、蓋体の回動と連動する塗布具持ち上げ部材によって塗布具が自動的に持ち上げられるため、塗布具を極めて容易に取り出すことができる。しかし、特許文献１に具体的に開示されたものは、塗布具持ち上げ部材により塗布具の全体が持ち上げられたり、蓋体から遠い前側が最も高く持ち上げられたりするものであったため、塗布具の取り出し性に優れる一方、蓋体を注意せずに開いたときや、蓋体を開いた状態でコンパクトケースを傾けた際などに、塗布具を落下させてしまう場合があった。特許文献２及び３のコンパクトケースも、同様の問題を有しており、特許文献４のコンパクトケースは、蓋体の開閉操作とは別に押し上げ板を屈曲させる操作が必要であり、塗布具の取り出す操作の簡便性の点で劣っていた。
【０００６】
したがって本発明の課題は、前述した従来技術が有する欠点を解消し得る、化粧用コンパクトケースを提供することにある。
【課題を解決するための手段】
【０００７】
本発明は、化粧料収容部と化粧料の塗布具を収容する塗布具収容部とが横方向に並べて配置されたケース本体と、蝶番部を介して該ケース本体に開閉可能に取り付けた蓋体とを備えた化粧用コンパクトケースであって、前記蓋体の回動に連動して、前記塗布具収容部内に収容された塗布具を、部分的に持ち上げ傾斜状態とする塗布具持上げ部材を備えており、前記塗布具持ち上げ部材は、前記塗布具収容部に収容された塗布具の前記化粧料収容部側に位置する内側側部又はその反対側に位置する外側側部を持ち上げるように構成されている、化粧用コンパクトケースを提供するものである。
【発明の効果】
【０００８】
本発明の化粧用コンパクトケースによれば、蓋体を開いた際に、塗布具が摘み易く、塗布具の取り出しが容易であるとともに、塗布具の落下を効果的に防止することができる。
【図面の簡単な説明】
【０００９】
【図１】本発明の好ましい一実施形態に係る化粧用コンパクトケースを示す、蓋体を開放した状態の斜視図である。
【図２】化粧料収容部に、化粧料を収容し、塗布具収容部に塗布具としてパフを収容して、蓋体を開放した状態を示す斜視図である。
【図３】図１に示す化粧用コンパクトケースの図２のＢ−Ｂに沿った断面図である。
【図４】図４（ａ）は、図１に示す化粧用コンパクトケースにおける化粧料収容部を示す平面図、図４（ｂ）は図４（ａ）のＣ−Ｃ線断面図である。但し、図４（ｂ）において、パフ（塗布具）は、便宜上、図４（ａ）の右方向から側面視した状態を示してある。
【図５】図５（ａ）は、本発明の好ましい一実施形態に係る化粧用コンパクトケースの構成を説明する、図１のＡ−Ａに沿った蓋体を閉塞した状態の断面図、図５（ｂ）は図５（ａ）のＢ部拡大図である。
【図６】図６（ａ）は、本発明の好ましい一実施形態に係る化粧用コンパクトケースの構成を説明する、図１のＡ−Ａに沿った蓋体を開放した状態の断面図、図６（ｂ）は図６（ａ）のＢ部拡大図である。
【図７】蓋体の回動に伴って塗布具持上げ部材を所定の角度範囲内で回動させる状況を説明する要部拡大図断面図である。
【図８】蓋体の回動に伴って塗布具持上げ部材を所定の角度範囲内で回動させる状況を説明する要部拡大図断面図である。
【図９】蓋体の回動に伴って塗布具持上げ部材を所定の角度範囲内で回動させる状況を説明する要部拡大図断面図である。
【図１０】保護シートを、ケース本体に取り付ける様子を示す平面図である。
【図１１】図１１（ａ）は、図２のＢ−Ｂ線に沿う断面の部分拡大図である。但し、保護シートは、化粧料収容部を覆うように寝かした状態としてある。図１１（ｂ）は、図１１（ａ）の一部を拡大して示す図である。
【図１２】図１に示す化粧用コンパクトケースの、一対のシート挿通孔を通る位置における、ケース本体の幅方向に沿う断面を示す拡大断面図である。
【図１３】本発明の他の実施形態を示す図４（ａ）相当図である。
【図１４】本発明の他の実施形態を示す図４（ａ）相当図である。
【図１５】本発明の他の実施形態における塗布具持上げ部材を示す平面図である。
【図１６】本発明の他の実施形態における塗布具持上げ部材を示す平面図である。
【発明を実施するための形態】
【００１０】
以下本発明をその好ましい実施形態に基づき図面を参照しながら説明する。
図１に示す本発明の好ましい一実施形態に係る化粧用コンパクトケース１は、化粧料２として例えばファンデーションをケース本体１１の化粧料収容部１２に収容し、塗布具４として例えばスポンジ状のパフをケース本体１１の塗布具収容部１３に収容して用いる扁平でコンパクトな形状の化粧料ケースである。
本実施形態の化粧用コンパクトケース１は、蝶番部１４（図５、図６参照）を介してケース本体１１に回動可能に取り付けられた蓋体１５を開いて、塗布具収容部１３から塗布具４を取り出し、取り出した塗布具４を用いて化粧料収容部１２に収容された化粧料２を擦り取って、肌面等に塗布して使用する。
【００１１】
本実施形態の化粧用コンパクトケース１は、蓋体１５を開く際に、塗布具４を部分的に持ち上げ傾斜状態とすることにより、塗布具４の周縁部分を摘み易くして、ケース本体１１から塗布具４を取り出すことを容易とするとともに、塗布具４の落下を効果的に防止することを可能とする構造を備えている。
【００１２】
本実施形態の化粧用コンパクトケース１は、図１及び図２に示すように、化粧料２が収容される化粧料収容部１２と化粧料の塗布具４を収容する塗布具収容部１３とが横方向に並べて配置されたケース本体１１と、図５及び図６に示すように、蝶番部１４を介してケース本体１１に開閉可能に取り付けた蓋体１５とを備えている。
また、蓋体１５を開く際の、蓋体１５の回動に連動して、塗布具収容部１３に収容された塗布具４を部分的に持ち上げ傾斜状態とする塗布具持上げ部材１８を備えている。
本明細書においては、図１に示すように、ケース本体１１における、化粧料収容部１２と塗布具収容部１３とが並ぶ方向を横方向Ｘとし、該横方向Ｘに直交する方向を前後方向Ｙとする。その前後方向Ｙにおいては、蓋体１５が連結されている側が後側、その反対側が前側とする。
また、蓋体１５の回動軸の軸長方向は、ケース本体１１の横方向Ｘと一致しており、また、本実施形態においては、塗布具持上げ部材１８の回動軸の軸長方向も、ケース本体１１の横方向Ｘと一致している。
【００１３】
本実施形態における塗布具持上げ部材１８は、蓋体１５と同一の回動軸としての、蝶番部１４の軸ピン１６に枢着されて、蓋体１５の開蓋操作に伴い所定の角度範囲内で回動する。塗布具持上げ部材１８は、塗布具収容部１３内に延出した部分である平板状押上げ部３４を有する。そして、塗布具持上げ部材１８は、その回動に伴い、平板状押上げ部３４が、塗布具収容部１３の底部１７から傾斜状態に突出して、塗布具収容部１３内に配置された塗布具４を部分的に持ち上げる。塗布具持上げ部材１８は、蓋体１５の開蓋操作に伴い、所定の角度までは蓋体１５の回動に連動して回動するが、所定の角度を超えると蓋体１５に連動せずに回動が停止する。従って、塗布具持上げ部材１８により持ち上げられる塗布具４も、塗布具収容部１３の底部１７と平行な状態から、例えば図３に示す程度の傾斜角度θとなるまでは回動するが、その状態から更に蓋体１５を回動させても、塗布具４の傾斜角度はそれ以上は増大しない。
【００１４】
本実施形態の化粧用コンパクトケース１においては、図２、図３及び図４示すように、塗布具４を塗布具持上げ部材１８により部分的に持ち上げた状態、好ましくは塗布具持上げ部材１８を最大限に突出させた状態において、持ち上げられた状態の塗布具４が、塗布具収容部１３における、化粧料収容部１２側に位置する内側側面１３ａに当接するように構成されている。また、化粧用コンパクトケース１においては、持ち上げられた状態の塗布具４が、塗布具収容部１３における、前面１３ｃにも当接するように構成されている。持ち上げられた状態の塗布具４が、塗布具収容部１３の内側側面１３ａに当接する塗布具４の部位は、傾斜状態となった塗布具４の傾斜下端側の一側部４ａであり、塗布具４の傾斜上端側の他側部４ｂは、その下面が化粧料収容部１２の開口面の高さ位置又はそれより上方に位置する。
塗布具４の他側部４ｂを、最大限に持ち上げた状態における、該他側部４ｂの下面の、塗布具収容部１３の開口面からの高さｔ〔図３参照〕は、好ましくは０ｍｍ以上、より好ましくは３ｍｍ以上であり、また、好ましくは１５ｍｍ以下、より好ましくは１０ｍｍ以下であり、また、好ましくは０ｍｍ以上１５ｍｍ以下、より好ましくは３ｍｍ以上１０ｍｍ以下である。
塗布具収容部１３の前面１３ｃは、塗布具収容部１３の内周面における、ケース本体１１の前後方向Ｙの前記前側に位置する面である。本実施形態の塗布具収容部１３は、平面視形状が、角を丸めた長方形状であり、ケース本体１１の横方向Ｘの両端に、それぞれ前後方向Ｙに沿って延びる内側側面１３ａ及び外側側面１３ｂを有し、前後方向Ｙの両端に、それぞれ横方向Ｘに沿って延びる前面１３ｃ及び後面１３ｄを有している。
【００１５】
塗布具持上げ部材１８によって部分的に持ち上げられた状態の塗布具４が、塗布具収容部１３の底部１７に当接するように構成することにより、蓋体１５を開く際に、塗布具４が落下することが防止される。更に、持ち上げられた状態の塗布具４が、塗布具収容部１３の内側側面１３ａに当接するように構成することにより、蓋体１５を開く際に、塗布具４が落下することが効果的に防止される。また、部分的に持ち上げられた状態の塗布具４が、塗布具収容部１３の内側側面１３ａに加えて前面１３ｃにも当接するように構成することにより、蓋体１５を開く際や開いた状態でケースを傾けた際などに塗布具４が落下することを一層効果的に防止することができる。
塗布具４の落下を一層確実に防止する観点から、塗布具持上げ部材１８は、図３に示すように、塗布具４の、内側側面１３ａ側の一側部４ａ（内側側部４ａ）の下部を、塗布具収容部１３の底部１７に当接させつつ、該塗布具４の他側部４ｂ（外側側部４ｂ）側を持ち上げるように構成されていることが好ましい。即ち、本実施形態のように、塗布具４の、外側側部４ｂ側を持ち上げる場合には、内側側部４ａの下部が該側部４ａの長手方向（塗布具収容部１３の前後方向Ｙ）に沿って連続的に底部１７に当接した状態下に持ち上げることが好ましく、反対に、塗布具４の、内側側部４ａ側を持ち上げる場合には、外側側部４ｂの下部が該側部４ｂの長手方向に沿って連続的に底部１７に当接した状態下に持ち上げることが好ましい。底部１７に連続的に当接させる外側側部４ｂ又は内側側部４ａの長さは、該側部４ｂ又は４ａの長手方向の全長の半分以上であることが好ましく、より好ましくは全長の９０％以上の長さであり、更に好ましくは全長である。
また、蓋体１５の開蓋操作に連動する塗布具持上げ部材１８の持ち上げにより、塗布具４の傾斜する最大の傾斜角度θ（図３参照）は、好ましくは１５°以上であり、より好ましくは２０°以上であり、また、好ましくは５０°以下であり、より好ましくは３５°以下であり、また好ましくは１５°以上５０°以下であり、より好ましくは２０°以上３５°以下ある。
【００１６】
また、部分的に持ち上げられた塗布具４が内側側面１３ａに当接するようにする観点や、塗布具４の内側側面１３ａ側の一側部４ａの下部を、塗布具収容部１３の底部１７に当接させつつ、該塗布具４の外側側面１３ｂ側の他側部４ｂ側を持ち上げることができるようにする観点から、本実施形態における塗布具持上げ部材１８は、図４に示すように、塗布具４の重心Ｐからずれた位置の下面に当接して、塗布具４を押し上げるように構成されている。同様の観点から、塗布具持上げ部材１８は、塗布具４に対し、塗布具収容部１３の横方向Ｘの長さを２等分する中心位置Ｃｘより外側側面１３ｂ側に位置する部位に当接して塗布具４を押し上げるように構成されていることが好ましい。
また、部分的に持ち上げられた状態の塗布具４が、内側側面１３ａ及び前面１３ｃの両方に当接するようにする観点から、塗布具持上げ部材１８は、図４に示すように、側面視において、Ｙ方向では塗布具４の重心Ｐの近傍に、平板状押上げ部３４の先端（頂点）３４ｔがあることが好ましい。なお、先端３４ｔは、塗布具持上げ部材１８の先端でもある。側面視において、Ｙ方向の重心Ｐの近傍に、塗布具４を押圧する平板状押上げ部３４の先端３４ｔがあることで、塗布具４を持上げた際に、塗布具４が、安定して塗布具収容部１３の内側側面１３ａ及び前面１３ｃに当接する。
より具体的には、Ｙ方向において、平板状押上げ部３４の先端３４ｔの位置は、塗布具４の重心Ｐを中心に、塗布具４のＹ方向の全長の±２０％以内に位置することが好ましく、より好ましくは±１５％以内である。
同様の観点から、平板状押上げ部３４の先端３４ｔの位置は、塗布具収容部１３の前後方向Ｙの中心位置Ｃｙの近傍に位置することが好ましく、より具体的には、平板状押上げ部３４の先端３４ｔの位置が、塗布具収容部１３の前後方向Ｙの中心位置Ｃｙを中心として、塗布具収容部１３の前後方向Ｙの全長の±２０％以内に位置することが好ましく、より好ましくは±１５％以内である。
また、平板状押上げ部３４が、先端３４ｔに向かって幅が狭くなる形状を有するため、塗布具４を指で取り出す際に、指が、平板状押上げ部３４に接触しにくい。また、平板状押上げ部３４は、先端３４ｔに幅を有し、該先端３４ｔにおける内側の角だけで接触して、外側の角は接触していないため、塗布具４が指で取り出しやすい。また、平板状押上げ部３４は、指にぶつかっても痛くないような形状、例えば角に丸みをつけた形状等にすることが好ましい。
【００１７】
本実施形態における塗布具持上げ部材１８においては、図４に示すように、塗布具収容部１３に配置された平板状押上げ部３４は、塗布具収容部１３の後面１３ｄに、両側縁が平行な幅の広い幅広部分３４ａを有し、それより前側に、内側側面１３ａ側の一側縁が湾曲し、外側側面１３ｂ側の他側縁が直線状で前面１３ｃに向かって幅が徐徐に狭まる先端側部分３４ｂを有している。また、平板状押上げ部３４は、横方向Ｘの中心位置が、前後方向Ｙの後方から前方に向かって、外側側面１３ｂに近づく形状を有している。また、平板状押上げ部３４及び塗布具持上げ部材１８は、塗布具収容部１３の前後方向Ｙの中央位置においては、その全体が、塗布具収容部１３の横方向Ｘの中心位置Ｃｘより外側側面１３ｂ側に位置する。
【００１８】
塗布具収容部１３に収容される塗布具４（パフ等）は、塗布具持上げ部材１８で塗布具４の側部を安定して持ち上げる観点から、ケース本体１１の横方向Ｘの長さが、塗布具収容部１３の同方向の長さの好ましくは６０％以上であり、より好ましくは７０％以上、更に好ましくは８０％以上であり、一層好ましくは９０％以上であり、また、好ましくは１００％未満であり、より好ましくは９９％以下であり、更に好ましくは９５％以下であり、また、好ましくは６０％以上１００％未満、より好ましくは７０％以上９９％以下、更に好ましく８０％以上９５％以下である。また、塗布具収容部１３に収容される塗布具４（パフ等）は、ケース本体１１の前後方向Ｙの長さが、塗布具収容部１３の同方向の長さの好ましくは６０％以上であり、より好ましくは８０％以上であり、また、好ましくは１００％未満であり、より好ましくは９５％以下であり、また好ましくは６０％以上１００％未満であり、好ましくは８０％以上９５％以下ある。
【００１９】
本実施形態の化粧用コンパクトケース１においては、塗布具持上げ部材１８は、蓋体１５と同一の回動軸に枢着され、塗布具収容部１３に延在している。また、塗布具持上げ部材１８には、蓋体１５の回動操作によって蓋側係止部２２に係止して該塗布具持上げ部材１８を回動する係止部２３が設けられている。
また、塗布具持上げ部材１８は、蓋体の回動操作の途中で塗布具持上げ部材の回動を制限するストッパー部２１を備え、塗布具持上げ部材の係止部２３は、該塗布具持上げ部材の回動が制限されると、蓋体１５の回動操作力によって蓋側係止部２２との係止を解除可能に形成されている。
【００２０】
以下、この機構を含めて本実施形態の化粧用コンパクトケース１をより詳細に説明する。
図５、６に示すように、塗布具持上げ部材１８は、塗布具収容部１３に配される部分（平面部３４）とともに、蓋体１５と同一の回動軸に枢着される枢着部１９を有している。
塗布具持上げ部材１８の枢着部１９は、その周面に、蓋体１５を開くための回動操作に伴って当該蓋体１５に設けられた蓋側係止部２２に係止する係止部２３と、蓋側係止部２２と係止部２３とが係止して塗布具持上げ部材１８が蓋体１５の開き方向に回動する途中で塗布具持上げ部材１８の回動を制限するストッパー部２１とを備え、ストッパー部２１によって回動が制限された塗布具持上げ部材１８の係止部２３は、蓋体１５をさらに開くための回動操作力によって蓋側係止部２２との係止が解除可能に形成されている。
【００２１】
また、本実施形態では、塗布具持上げ部材１８の係止部２３は、塗布具持上げ部材１８の枢着部１９の周方向の周面に形成された、蝶番部１４の軸ピン１６からの距離がこれの周方向両側の部分よりも大きくなった部分であり、蓋体１５に設けられた蓋側係止部２２は、塗布具持上げ部材１８の枢着部１９の周方向の周面に対向する位置として、軸ピン１６を中心として塗布具持上げ部材１８の枢着部１９の周方向の外周面に沿って（周方向に）回動する部分に配置されている。本実施形態では、塗布具持上げ部材１８の係止部２３は、線状の第１凸リブ２３ａによって構成されており、蓋体１５に設けられた蓋側係止部２２は、線状の第２凸リブ２２ａによって構成されている。
【００２２】
本実施形態では、ケース本体１１は、合成樹脂製の成形部品であって、例えば縦４０〜１２０ｍｍ、横５０〜１２０ｍｍ程度の大きさの略平面矩形形状を有すると共に、例えば１０〜３０ｍｍ程度の厚さで形成されている。化粧料収容部１２と化粧料の塗布具４を収容する塗布具収容部１３とが横方向に並べて配置する観点から、ケース本体１１は、縦方向に比べて横方向に長く形成されていることが好ましい。
また、ケース本体１１の一方の長辺部分２５には、当該長辺部分２５に沿って、蝶番部１４を構成する軸ピン１６が、両端部分を長辺部分２５に埋設支持させて取り付けられている。長辺部分２５の中央部分には、蓋体１５の枢着部２６及び塗布具持上げ部材１８の枢着部１９を軸ピン１６に枢着させるための枢着切欠き部２７が形成されている。この枢着切欠き部２７において、ケース本体１１の底板１１ａが切り欠かれており、この切り欠かれた部分の底板１１ａの切欠き端面が、塗布具持上げ部材１８の枢着部１９に設けられたストッパー部２１としての当接面を当接させる底部切欠き端面２０となっている。さらに、ケース本体１１の他方の長辺部分２８には、これの中央部分に、蓋体１５に設けられた係着爪３２が着脱可能に係止される被係着部３１を備える係着切欠き部２９が形成されている。係着切欠き部２９には、押圧により係着爪３２と被係着部３１との係止状態を解除する係止解除ボタン２４が設けられている。
【００２３】
蝶番部１４を介してケース本体１１に開閉可能に取り付けられる蓋体１５は、ケース本体１１と略同様の略平面矩形形状を有する合成樹脂製の平板状の成形部品である。蓋体１５は、その一方の長辺部分の中央部分に枢着部２６を有している。ケース本体１１の枢着切欠き部２７において、この枢着部２６を介して蝶番部１４の軸ピン１６に枢着されることにより、蓋体１５がケース本体１１に対して回動可能に取り付けられる。また蓋体１５の枢着部２６には、塗布具持上げ部材１８の枢着部１９が軸ピン１６に枢着される位置に、門形切欠き部３０が形成されている。この門形切欠き部３０において、塗布具持上げ部材１８の枢着部１９が、蓋体１５の枢着部２６の一部において軸ピン１６に取り付けられることになる。
【００２４】
そして、本実施形態では、門形切欠き部３０の天端面の内側角部は、下方に僅かに突出して線状の第２凸リブ２２ａを形成している（図５（ｂ）参照）。門形切欠き部３０の天端面は、蓋体１５を開く回動操作に伴って、当該門形切欠き部３０に配置された塗布具持上げ部材１８の枢着部１９の周方向の外周面に沿って周方向に回動すると共に、第２凸リブ２２ａは、塗布具持上げ部材１８の枢着部１９に形成された第１凸リブ２３ａと係止可能な蓋側係止部２２を構成することになる。
【００２５】
また、蓋体１５の他方の長辺部分１５ａには、これの中央部分に、上述のように、ケース本体１１の係着切欠き部２９に設けられた被係着部３１に着脱可能に係止する係着爪３２が設けられている。さらに、蓋体１５の内側面には、これの略全域を覆って鏡３３が取り付けられている。
【００２６】
蝶番部１４の軸ピン１６に枢着されて所定の角度範囲内で回動することにより、塗布具収容部１３の底部１７の一部から傾斜した状態で突出する塗布具持上げ部材１８は、合成樹脂製の成形部品であって、蓋体１５の閉蓋時に塗布具収容部１３の底部１７の一部として配置されている平板状押上げ部３４と、蝶番部１４の軸ピン１６に枢着される枢着部１９と、押上げ部３４と枢着部１９とを連結する曲折連結部３５とからなる。
【００２７】
本実施形態の化粧用コンパクトケース１は、図１に示すように、塗布具収容部１３の底部１７に、平板状押上げ部３４に対応する形状の収容凹部３６が形成されている。平板状押上げ部３４は、蓋体１５が閉塞された状態においては、塗布具収容部１３の底部１７に、平板状押上げ部３４に対応する形状の収容凹部３６に配置されて、この収容凹部３６に嵌まった状態を保持する（図５（ａ）参照）。収容凹部３６は、平板状押上げ部３４に対応する形状、例えば、押上げ部３４と相似の形状としたり、略同様の形状とすることが、化粧料が収容凹部に入り込みにくくなるため好ましい。蓋体１５が閉塞された状態において、収容凹部３６に収容された平板状押上げ部３４の塗布具４側の面は塗布具収容部１３の底部１７とは均一な面となることが好ましい。
平板状押上げ部３４は、蓋体１５の開蓋操作に伴って、塗布具持上げ部材１８が所定の角度範囲内で回動することにより、図１及び図６（ａ）に示すように、蝶番部１４とは反対側の先端部を上方にして傾斜した状態で、塗布具収容部１３の底部１７から上方に突出することになる。
【００２８】
曲折連結部３５は、蝶番部１４の軸ピン１６に枢着される枢着部１９と、塗布具収容部１３の底部１７の一部として設けられた平板状押上げ部３４とを連結する部分である。曲折連結部３５は、クランク状に曲折した形状を有している。
【００２９】
塗布具持上げ部材１８の枢着部１９は、蓋体１５の枢着部２６に形成された門形切欠き部３０の範囲内で、蝶番部１４の軸ピン１６に枢着される部分である。枢着部１９は、略半長円形、或いは略半楕円形の断面形状を有しており、その中央を貫通する軸ピン１６に回動可能に取り付けられている。本実施形態では、枢着部１９には、その外周面に軸ピン１６を中心とした周方向を横断して、第１凸リブ２３ａが、軸ピン１６と平行な方向に線状に設けられている。また、枢着部１９には、上述のケース本体１１の枢着切欠き部２７に底板１１ａを切り欠いて形成した底部切欠き端面２０と対向する位置に、好ましくは平坦な当接面２１が設けられている。
【００３０】
ここで、本実施形態によれば、図５（ａ），（ｂ）に示す蓋体１５を閉じた状態の軸ピン１６に垂直な断面において、軸ピン１６の中心から蓋体１５の第２凸リブ２２ａ（蓋側係止部２２）に向う線分と、軸ピン１６の中心から塗布具持上げ部材１８の枢着部１９の第１凸リブ２３ａ（係止部２３）に向かう線分との間の角度θ1が、蓋体１５を開く回動開始位置から、塗布具持上げ部材１８が回動し始める蓋体１５の回動角度となる。また、ケース本体１１の枢着切欠き部２７の底部切欠き端面２０と、塗布具持上げ部材１８の枢着部１９の当接面２１との間の角度θ2が、蓋体１５を開く回動操作に伴って塗布具持上げ部材１８の平板状押上げ部３４が持ち上がる角度となる。すなわち、枢着部１９における当接面２１と係止部２３としての第１凸リブ２３ａの位置によって、蓋体１５の開蓋操作に伴って回動する塗布具持上げ部材１８の回動開始位置（角度）と回動終了位置（角度）が定められ、塗布具持上部材１８の回動の角度範囲が規制されることになる。またこれらの位置を調整することによって、塗布具持上げ部材１８が回動する角度範囲を適宜調整することが可能になる。
【００３１】
上述の構成を備える本実施形態では、図５（ａ），（ｂ）に示す蓋体１５を閉塞した状態から、蓋体１５を開く回動操作を始めると、図７に示す蓋体１５の第２凸リブ２２ａが塗布具持上げ部材１８の枢着部１９の第１凸リブ２３ａに当接して係止されるまでの間は、蓋体１５のみが回動して、塗布具持上げ部材１８の平板状押上げ部３４は、塗布具収容部１３の底部１７における収容凹部３６に嵌まった状態を保持する。塗布具持上げ部材１８の平板状押上げ部３４は、その上面が底部１７の上面と面一の状態にあることが好ましい。
【００３２】
蓋体１５をさらに回動させると、図８に示すように、蓋体１５の第２凸リブ２２ａが枢着部１９の第１凸リブ２３ａに係止され、係止された状態のまま、塗布具持上げ部材１８は、蓋体１５の回動に伴って回動し、平板状押上げ部３４を傾斜させて塗布具収容部１３の底部１７から上方に突出させる。
【００３３】
蓋体１５と共に塗布具持上げ部材１８を回動させて、図９に示すように、枢着部１９の当接面２１がケース本体１１の底部切欠き端面２０に当接すると、塗布具持上げ部材１８はその回動がストップされて、平板状押上げ部３４がそれ以上傾斜しない（持ち上がらない）状態を保持する。ここで、蓋体１５をさらに回動させると、この回動力によって当該蓋体１５のみが回動可能となるように係止部２３と蓋側係止部２２との係止が解除される。本実施形態の場合、第２凸リブ２２ａや第１凸リブ２３ａなどの弾性変形によって、蓋体１５の第２凸リブ２２ａは塗布具持上げ部材１８の枢着部１９の第１凸リブ２３ａを乗り越え、図１及び図６（ａ），（ｂ）に示すように、蓋体１５をさらに大きく開くことが可能になる。
【００３４】
また、蓋体１５を閉じる際には、蓋体１５を逆方向に回動させれば、この逆方向の回動に伴って、蓋体１５の第２凸リブ２２ａが塗布具持上げ部材１８の第１凸リブ２３ａに当接して係止され、塗布具持上げ部材１８もまた逆方向に回動する。これによって塗布具持上げ部材１８は、平板状押上げ部３４が塗布具収容部１３の底部１７の収容凹部３６に嵌まった状態に復帰する。蓋体１５をさらに逆方向に回動させれば、蓋体１５の第２凸リブ２２ａが塗布具持上げ部材１８の第１凸リブ２３ａを乗り越え、蓋体１５はケース本体１１の化粧料収容部１２及び塗布具収容部１３を閉塞するまで回動して、図５（ａ），（ｂ）に示す蓋体１５を開放する前の元の状態に復帰する。蓋体１５を閉じる際には、塗布具持上げ部材１８の平板状押上げ部３４及び／又は平板状押上げ部３４の上面に置かれた塗布具が塗布具持上げ部材の回動を制限するストッパーとして機能する。
【００３５】
したがって、本実施形態の化粧用コンパクトケース１よれば、当該化粧用コンパクトケース１を使用する際に、蓋体１５を開く回動操作を行えば、蓋体１５の回動に伴って塗布具持上げ部材１８が所定の角度範囲内で回動させて、平板状押上げ部３４を、前述した好ましい傾斜状態として、塗布具収容部１３の底部１７から突出させることができる。
【００３６】
本実施形態の化粧用コンパクトケース１について更に説明すると、化粧用コンパクトケース１は、図１及び図２に示すように、化粧料収容部１２に収容された化粧料２が、蓋体１５に設けられた鏡３３に付着するのを防止する保護シート６を備えている。保護シート６は、ケース本体１１に、取り付けられており、蓋体１５を閉めた状態（閉蓋状態、図５参照）から蓋体１５を開けた状態（開蓋状態、図２参照）とすることで、保護シート６が部分的に持ち上がり傾斜状態となるようになされている。
保護シート６が、開蓋操作に伴い自動的に傾斜状態で持ち上がるようにすることで、塗布具４を取り出してから、保護シート６をさらに開き、化粧料２を塗布具４に付着させる一連の動作がスムーズにできる。特に、本実施形態においては、図２に示すように、塗布具４及び保護シート６のいずれもが、横方向Ｘの同じ側が傾斜上端となるように持ち上がるため、上記の一連の動作を一層スムーズにできる。
なお、保護シート６は、図１１に示すように、保護シート６に２重のヒンジ部６４，６５を設けて、保護シート６を構成する樹脂製シートの１カ所に応力が集中しないようにしている。そのため、閉蓋時にも、開蓋時に略水平状態から傾斜状態に持ち上がるための弾性回復性を損なわれにくく、開蓋時に保護シート６が安定して傾斜状態に持ち上がる。
【００３７】
また、本実施形態の好ましい形態としておいては、保護シート６の構成やその取り付け方にも工夫がある。以下、保護シート６の構成やその取り付け方を中心に更に説明する。
【００３８】
保護シート６は、蓋体１５の閉蓋時に化粧料２（化粧料レフィル１３１）の上面を覆う本体部分６１と、本体部分６１から突出する一対の取り付け片６２，６２とを有している（図１０参照）。取り付け片６２は、保護シート６を、ケース本体１１に取り付けるための部分であり、保護シート６は、図１０に示すように、一対の取り付け片６２，６２を、ケース本体１１に設けられた一対のシート挿入孔７，７に挿入することによって、該ケース本体１１に、容易には外れないように固定されている。より具体的に説明すると、保護シート６は、図１１に示すように、取り付け片６２の突出方向の先端側から順に、折り返し部６３，第１ヒンジ部６４及び第２ヒンジ部６５を有している。取り付け片６２を、先端縁６６と折り返し部６３との間の先端部６７、折り返し部６３と第１ヒンジ部６４との間の中間部６８、及び第１ヒンジ部６４と第２ヒンジ部６５との間の基端部６９に区分すると、ケース本体１１に取り付けられた状態の取り付け片６２は、先端部６７が、取り付け片６２の先端縁から２〜５ｍｍ程度離れた位置にある折り返し部６３において折り返されており、図１１に示すように、その折り返された先端部６７が、取り付け片６２の折り返された部分となっている。折り返された先端部６７と折り返されていない中間部６８との間は、６０度以下、好ましくは４５度以下の鋭角をなすように屈曲している。折り返された先端部６７は、折り返されていない中間部６８に密着するように折り返されていても良い。
【００３９】
第１ヒンジ部６４及び第２ヒンジ部６５は、保護シート６を、ケース本体１１に対する取り付け部分付近において折れ曲がり易くするものであり、ヒンジ部の存在により、保護シート６を回動させ、化粧料収容部１２の上面を開閉させることが容易となる。また、前述したように、第１ヒンジ部６４及び第２ヒンジ部６５の存在により、開蓋時に、片側が持ち上がった傾斜状態となりやすい。
本実施形態においては、ヒンジ部として、保護シート６を構成する合成樹脂製のシートに、ケース本体１１の幅方向Ｙに延びる直線状の押し罫（罫線）を形成してある。また、その押し罫（罫線）は、例えば、通常の金属押し刃での冷間押し、または加熱押しによって形成することができる。
押し罫（罫線）は一直線に連続したものでよいが、部分的に押し罫がない部分があってもよい。また、部分的には貫通した箇所が存在してもよい。
【００４０】
本実施形態においては、図１０に示すように、保護シート６の一端部を固定するためのシート挿入孔７，７が、ケース本体１１の長手方向Ｘにおける化粧料収容部１２側の該化粧料収容部１２より外側に位置する部分Ｇに形成されている。また、図１１に示すように、保護シート６は、そのシート挿入孔７，７に、保護シート６に設けられた取り付け片６２，６２が挿入され、取り付け片６２，６２が、シート挿入孔７の入り口より幅が拡大した空間７１内に、折り返された部分６７を有することによって、ケース本体１１に固定されている。
この折り返された部分６７は、取り付け片６２における先端縁６６から折り返し部６３までの範囲の、折り返された先端部６７である。
シート挿入孔７の入り口より幅が拡大した空間７１は、ケース本体１１の長手方向Ｘにおける寸法Ｗ２が、同方向Ｘにおける入り口の寸法Ｗ１よりも大きい空間７１であり、このような空間内に、取り付け片６２の折り返された部分６７が存在することにより、取り付け片６２を引き抜く力が加わったときに、該折り返された部分６７、好ましくはその先端縁６６が、シート挿入孔７の入り口付近に生じた段差部や出っ張り７２に当接して、取り付け片６２が引き抜かれることが阻止される。また、出っ張り部７２には、図１１（ｂ）に示すように、突起７２ａを形成することにより、取り付け片６２が引き抜かれることが一層防止することができる。
【００４１】
本実施形態の化粧用コンパクトケース１によれば、このようにして、シート挿入孔７に、保護シート６に設けた取り付け片６２が挿入され、該取り付け片６２が、シート挿入孔７の入り口より奥の空間７１内に折り返された部分６７を有するため、取り付け片６２が、シート挿入孔７から抜けにくく、化粧料レフィル１３１の交換を繰り返して長期間使用しても、保護シート６がケース本体１１から外れにくい。
また、保護シート６を上述した態様でケース本体１１に取り付けてあるため、化粧料の塗布を行うために、保護シート６の開閉を繰り返し行っても、保護シート６の本体部分６１と取り付け片６２との境界部付近に疲労（劣化）が生じにくく、保護シート６を長期間使用しても、保護シート６が根元付近からちぎれて取れてしまうといったことも起こりにくい。
また、保護シート６が、開蓋時に片側が持ち上がった傾斜状態となりやすい。
また、保護シート６に設けた取り付け片６２を、化粧料レフィル１３１と化粧料収容部１２の底部との間に挟んで固定した場合とは異なり、化粧料レフィル１３１を交換する際に、保護シート６が外れることがなく、また保護シート６の位置がずれて、化粧料レフィル１３１を適正な位置に固定できなくなることもない。
【００４２】
本実施形態の化粧用コンパクトケース１によれば、このようにして、化粧料レフィル１３１を交換して長期間に亘って使用しても、保護シート６がケース本体１１から取れにくい。
【００４３】
更に、本実施形態によれば、保護シート６を固定するためのシート挿入孔７，７を、ケース本体１１の長手方向Ｘにおける化粧料収容部１２側に設け、蓋体１５の閉蓋時に、化粧料収容部３内に収容した化粧料２（化粧料レフィル１３１）の上面を保護シート６が覆われるようにしたので、化粧料２が鏡３３に付着することがない。
【００４４】
また、本実施形態の化粧用コンパクトケース１においては、図１１に示すように、化粧料収容部１２の内周面に、化粧料レフィル１３１の係合凹部１３４と係合する２種類の係合突起１３５，１３６が形成されている。
２種類の係合突起１３５，１３６のうちの一方は、シート挿入孔７側に空間７１を形成して前後に変位可能とした可撓片１３７に設けられた係合突起１３５であり、他方は、化粧料収容部３の内周面に変位不能に形成された係合突起１３６である。
そして、前述した保護シート６の取り付け片６２は、図１１に示すように、係合突起１３５が設けられた可撓片３７の後方の空間７１内に、前述した折り返された部分（先端部）６７を有している。
【００４５】
本実施形態の化粧用コンパクトケース１においては、図１２に示すように、一対の取り付け片６２，６２のそれぞれにおける前記折り返された部分（先端部）６７の一部６７ａが、折り返されていない部分６８の一側縁６８ａから突出して、該取り付け片６２の片側に、ケース本体１１の幅方向Ｙに向かって張り出すアンカー部６７ａが形成されている。
これらのアンカー部６７ａが、図１２に示すように、ケース本体１１に形成された被係合部７３に係合することによって、保護シート６の抜けが一層確実に防止される。
本実施形態における、空間７１は、ケース本体１１の幅方向Ｙに沿って延びる細幅の空間であり、一方のシート挿入孔７の下方から他方のシート挿入孔７の下方に亘って連続している。本実施形態においては、アンカー部６７ａが係合する被係合部７３は、ケース本体１１の上面と該空間７１との間を仕切る板状の天井部における、一対のシート挿入孔７，７間に位置する部分である。
【００４６】
アンカー部６７ａは、取り付け片６２のシート挿入孔７からの抜け防止の観点のみから考えれば、取り付け片６２の両側に形成されていることが好ましいが、本実施形態におけるように、取り付け片６２の片側のみに形成されていることが、図１０に示すように、先端部６７を折り返した状態の取り付け片６２を、シート挿入孔７に挿入することが容易であるため好ましい。
【００４７】
また、取り付け片６２は、図１０及び図１２に示すように、アンカー部６７ａとは反対側の角部６２ａが、円弧状又はテーパー状に加工（カット）されていることが好ましい。角部６２ａは、取り付け片６２の折り返し部６３のアンカー部６７ａとは反対側の端に生じる角部である。
アンカー部６７ａとは反対側が円弧状又はテーパー状に加工されていると、先端部６７を折り返してアンカー部６７ａを生じさえた状態の取り付け片６２を、シート挿入孔７に挿入することが容易となる。テーパー状は、取り付け片６２の先端側（折り返し部６３側）に向かうに連れて、アンカー部６７ａが突出する側に近づくように傾斜した形状である。
【００４８】
アンカー部６７ａが、折り返されていない部分（中間部）６８の側縁から突出する長さ（ケース本体１１の幅方向Ｙに沿う長さ）Ｌ３は、保護シート６の取り付け片６２の抜け防止の観点から、好ましくは１．５ｍｍ以上、更に好ましくは２ｍｍ以上であり、また、シート挿入孔７への挿入を容易とする観点から、好ましくは５ｍｍ以下、更に好ましくは４ｍｍ以下である。
また、アンカー部６７ａとは反対側の角部６２ａの円弧状又はテーパー状にカットされた部分の、ケース本体１１の幅方向Ｙに沿う長さＬ４は、前記アンカー部６７ａの前記長さＬ３に対する割合が、好ましくは３０％以上、更に好ましくは７０％以上であり、また、好ましくは１５０％以下、更に好ましくは１１０％以下である。
アンカー部６７ａとは反対側の角部６２ａが円弧状又はテーパー状に加工されている態様には、円弧状にカットされている場合、テーパー状にカットされている場合、円弧とテーパー状とを繋げた形状にカットされている場合の何れもが含まれる。換言すれば、シート挿入孔７に挿入することが容易となる形態を満たせばよい。
【００４９】
本実施形態における保護シート６は、図１０に示すように、一対の取り付け片６２，６２のそれぞれにおける、互いに向かい合う内方側にアンカー部６７ａが形成されている。本発明においては、一対の取り付け片６２，６２のそれぞれにおける、互いに逆方向に向かう外方側にアンカー部６７ａを形成しても良い。
【００５０】
また、本実施形態における保護シート６は、図５に示すように、ケース本体１１に対する取り付け部分の付近に、第１ヒンジ部６４と第２ヒンジ部６５の２つのヒンジ部を有している。第１ヒンジ部６４と第２ヒンジ部６５は、シート挿入孔７の入り口からの距離が相互に異なっている。
ポリエチレンテレフタレートやポリプロピレン等の合成樹脂からなるシートは、繰り返し折り曲げられると切れやすくなるが、保護シート６に２つのヒンジ部６４，６５を設けることによって、各ヒンジに加わる折り応力が分散して低下し、各ヒンジ部分でのシートの破断が生じにくくなる。また、２つのヒンジ部６４，６５を有することで、折れ曲がり性の自由度が向上し、例えば、本体部分６１を、図１１（ｂ）に実線で示す右向きに延びた状態から、１８０度回動させて左向きに延びた状態とすることも容易となり、更には、ケース本体１１の外周部に形成された化粧料、特に粉体の漏出防止のために設けた外周壁１２１の外側において、図１１（ｂ）に点線で示すように、該外周壁２１よりも低い位置まで下降するように傾斜した状態とすることも可能である。このような状態まで回動させてその状態に保持できると、化粧料を、塗布具で掻き取りないし拭き取りする操作の作業性が向上する。
なお、本実施形態における２つのヒンジ部６４，６５は、ケース本体１１に固定された状態の保護シート６におけるシート挿入孔７の位置と本体部分６１との間に形成されている。
【００５１】
化粧用コンパクトケース１の蓋体１５とケース本体１１は、一般のコンパクトケースで使われるプラスチック材料から形成することができ、例えば、ＡＢＳ樹脂、ＡＳ樹脂、ＰＰ樹脂、ＰＥＴ樹脂、ＰＣＴ樹脂等が挙げられる。塗布具持ち上げ部材１８や平板状押上げ部３４については、プラスチック材料から形成することができ、例えば、ＡＢＳ樹脂、ＡＳ樹脂、ＰＰ樹脂、ＰＥＴ樹脂、ＰＣＴ樹脂等が挙げられる。また、塗布具持ち上げ部材１８や平板状押上げ部３４は、塗布具４についた化粧料２が付着し、化粧料２に配合された紫外線吸収剤などがプラスチック材料を劣化させることがあるため、劣化を防止する観点では、耐薬品性の高いＰＰ樹脂やＰＥＴ樹脂、ＰＣＴ樹脂を用いること好ましい。また、塗布具持ち上げ部材１８の動作の安定や剛性から自己潤滑性のあるＰＯＭ樹脂や剛性の高いＰＣ樹脂を用いる事も好ましい。
【００５２】
なお、本発明は上記実施形態に限定されることなく種々の変更が可能である。
例えば、本発明の化粧用コンパクトケースにおいては、部分的に持ち上げられた状態の塗布具４が、塗布具収容部１３の前面１３ｃに当接せずに、内側側面１３ａのみに当接するものであっても良い。また、塗布具持ち上げ部材１８は、塗布具４の外側側部４ｂに代えて内側側部４ａを持ち上げるように構成されていても良い。また、部分的に持ち上げられた状態の塗布具４が、塗布具収容部１３における外側側面１３ｂのみ又は外側側面１３ｂと前面１３ｃに当接させるように構成されていても良い。
【００５３】
図１３に、塗布具４の内側側部４ａを持ち上げるように構成した塗布具持ち上げ部材１８の一例を示す。部分的に持ち上げられた状態の塗布具４を外側側面１３ｂに当接させる場合、塗布具持上げ部材１８は、塗布具４の、外側側面１３ｂ側の一側部（外側側部４ｂ）の下部を塗布具収容部の底部１７に当接させつつ、塗布具の他側部側を持ち上げるように構成されていることが好ましい。図１３に示す塗布具持上げ部材１８は、塗布具４に対し、塗布具収容部１３の横方向Ｘの長さを２等分する中心位置Ｃｘ（図５（ａ）参照）より内側側面１３ａ側に位置する部位に当接して塗布具４を押し上げるように構成されている。
【００５４】
また、塗布具収容部１３に収容する塗布具は、指で摘む把持部の先端に刷毛部を備えた、全体として偏平な塗布具等であっても良い。
また、塗布具収容部１３に配されて塗布具４を押し上げる部分（押上げ部）の形状は、平板状押上げ部３４のように平板状である必要は必ずしも無く、棒状体等であっても良い。
また、塗布具収容部１３に配されて塗布具４を押し上げる塗布具持ち上げ部材１８の平板状押上げ部３４の形状は、さまざまな形状とすることができ、例えば、図１４に示すような形状とすることもできる。更に、図１５に示すような形状とすることもできる。
【００５５】
具体的には、図１４に示す平板状押上げ部３４は、塗布具収容部１３の後面１３ｄ側近傍に横方向Ｘに沿って延びる部分と、該横方向Ｘに沿って延びる部分の外側側面１３ｂ側
の端部から、前面１３ｃ側に向かって前後方向Ｙに沿って延びる部分を有している。横方向Ｘに沿って延びる部分の幅は均一であり、また、前後方向Ｙに沿って延びる部分の幅も
均一である。そして、平板状押上げ部３４は、その先端３４ｔが、前後方向Ｙにおいて、塗布具４の重心Ｐよりも塗布具収容部１３の前面１３ｃ側に位置している。
【００５６】
図１５（ａ）に示す形態においては、平板状押上げ部３４は、塗布具収容部１３の後面１３ｄ側に、両側縁が平行な幅の広い幅広部分３４ａを有し、それより前側に、内側側面１３ａ側の一側縁が直線状に傾き、外側側面１３ｂ側の他側縁が外側側面１３ｂに直線状に沿い、前面１３ｃに向かって幅が徐徐に狭まる先端側部分３４ｂを有している。
図１５（ｂ）に示す形態においては、平板状押上げ部３４の塗布具収容部１３の外側側面１３ｂ側の他側縁は曲線状となっており、後面１３ｄから前面１３ｃに向けて外側側面１３ｂに近づく形状を有している。また、平板状押上げ部３４の塗布具収容部１３の内側側面１３ａ側の一側縁は直線状となっており、後面１３ｄから前面１３ｃに向けて外側側面１３ｂに近づく形状を有している。そして、平板状押上げ部３４の先端３４ｔは丸くなっている。
図１５（ｃ）に示す形態においては、平板状押上げ部３４は、塗布具収容部１３の後面１３ｄに、幅の広い幅広部分３４ａを有し、それより前側に、内側側面１３ａ側の一側縁が湾曲し、外側側面１３ｂ側の他側縁が直線状で、前面１３ｃに向かって幅が徐徐に狭まる先端側部分３４ｂを有している。外側側面１３ｂ側の他側縁は、内側側面１３ａ側にやや傾いている。
図１５（ｄ）に示す形態においては、平板状押上げ部３４は、塗布具収容部１３の後面１３ｄに、幅の広い幅広部分３４ａを有し、それより前側に、内側側面１３ａ側の一側縁及び外側側面１３ｂ側がが湾曲し、前面１３ｃに向かって幅が徐徐に狭まる先端側部分３４ｂを有している。外側側面１３ｂ側の他側縁は内側側面１３ａ側にやや傾いている。
【００５７】
また、塗布具持上げ部材１８、特に塗布具収容部１３に配された平板状押上げ部３４に、文字又は模様が付与されていることも好ましい。例えば、図１６に示すように、文字により塗布具持上げ部材１８が果たす機能を表示することで、そのコンパクトケースの性能を容易に理解してもらうことができる。また、花や星などの模様を付与することで、塗布具持上げ部材１８の存在を認識しやすくすることができる。
また、塗布具持上げ部材１８の塗布具４との接触部位には、塗布具４が滑らない様に、表面を凹凸加工したり、滑りにくい材質（例えばゴム類のシート）などを接合することもできる。接合の手段としては、貼り付けや、異材質複合成形（２色成形）などがある。
【００５８】
また、塗布具持上げ部材１８を、蓋体１５の回動に連動させる機構としては、上記のものに限られず、任意の機構を用いることができる。上述した実施形態では、塗布具持上げ部材１８の係止部２３は、線状の第１凸リブ２３ａによって構成されており、蓋体１５に設けられた蓋側係止部２２は、線状の第２凸リブ２２ａによって構成されていたが、例えば係止部２３は、なだらかに変化にする円弧の形状やカム形状であって、塗布具持上げ部材１８の枢着部１９の周囲に、軸ピン１６からの距離が漸次増大した後、漸次減少するかその距離を維持する領域を設け、軸ピン１６からの距離が漸次増大する領域を、蓋体１５の蓋側係止部２２と係止する係止部としても良く、その係止部に係止する蓋側係止部２２は、凸リブであっても良いし、凸リブのない部分であっても良い。例えば、凸リブをなくした門形切欠き部３０の天端面等であっても良い。
【００５９】
前述した本発明の実施形態に関し、更に以下の付記（化粧用コンパクトケース）を開示する。
＜１＞
化粧料収容部と化粧料の塗布具を収容する塗布具収容部とが横方向に並べて配置されたケース本体と、蝶番部を介して該ケース本体に開閉可能に取り付けた蓋体とを備えた化粧用コンパクトケースであって、
前記蓋体の回動に連動して、前記塗布具収容部内に収容された塗布具を、部分的に持ち上げ傾斜状態とする塗布具持上げ部材を備えており、
前記塗布具持ち上げ部材は、前記塗布具収容部に収容された塗布具の前記化粧料収容部側に位置する内側側部又はその反対側に位置する外側側部を持ち上げるように構成されている、化粧用コンパクトケース。
【００６０】
＜２＞
部分的に持ち上げられた状態の塗布具が、前記塗布具収容部における、前記化粧料収容部側に位置する内側側面又はその反対側に位置する外側側面に当接するように構成されている、前記＜１＞記載の化粧用コンパクトケース。
＜３＞
部分的に持ち上げられた状態の塗布具が、前記塗布具収容部における、前記内側側面又は前記外側側面に加えて、該塗布具収容部における前面にも当接するように構成されている、前記＜１＞又は＜２＞記載の化粧用コンパクトケース。
＜４＞
前記塗布具持上げ部材が、前記塗布具の重心からずれた位置の下面に当接して該塗布具を押し上げるように構成されている、前記＜１＞〜＜３＞の何れか１に記載の化粧用コンパクトケース。
＜５＞
前記塗布具持上げ部材は、塗布具４に対し、前記塗布具収容部の横方向Ｘの長さを２等分する中心位置Ｃｘより外側側面側又は内側側面側に位置する部位に当接して前記塗布具を押し上げるように構成されている、前記＜１＞〜＜４＞の何れか１に記載の化粧用コンパクトケース。
＜６＞
前記塗布具持上げ部材は、側面視において、前後方向Ｙでは塗布具の重心Ｐの近傍に先端があり、より具体的には、Ｙ方向において、先端の位置は、塗布具の重心Ｐを中心に、塗布具のＹ方向の全長の±２０％以内に位置することが好ましく、より好ましくは±１５％以内である、前記＜１＞〜＜５＞の何れか１に記載の化粧用コンパクトケース。
＜７＞
前記塗布具持上げ部材の先端の位置は、前記塗布具収容部の前後方向Ｙの中心位置Ｃｙの近傍に位置することが好ましく、より具体的には、前記塗布具収容部の前後方向Ｙの中心位置Ｃｙを中心として、前記塗布具収容部の前後方向Ｙの全長の±２０％以内に位置することが好ましく、より好ましくは±１５％以内である、前記＜１＞〜＜６＞の何れか１に記載の化粧用コンパクトケース。
＜８＞
前記塗布具持上げ部材は、前記塗布具の、前記内側側部及び前記外側側部の何れか一方の側部の下部が、該側部に沿って連続的に前記塗布具収容部の底部に当接した状態下に、他方の側部を持ち上げるように構成されている、前記＜１＞〜＜７＞の何れか１に記載の化粧用コンパクトケース。
＜９＞
前記塗布具の最大傾斜角度が、１５°以上５０°以下である、前記＜１＞〜＜８＞の何れか１に記載の化粧用コンパクトケース。
＜１０＞
前記塗布具の最大傾斜角度は、好ましくは１５°以上であり、より好ましくは２０°以上であり、また、好ましくは５０°以下であり、より好ましくは３５°以下であり、また好ましくは１５°以上５０°以下であり、より好ましくは２０°以上３５°以下ある、前記＜１＞〜＜８＞の何れか１に記載の化粧用コンパクトケース。
【００６１】
＜１１＞
持ち上げられた状態の前記塗布具の傾斜上端側の他側部（他方の側部）は、その下面が前記化粧料収容部の開口面の高さ位置又はそれより上方に位置する、前記＜１＞〜＜１０＞の何れか１に記載の化粧用コンパクトケース。
＜１２＞
前記塗布具の他側部を、最大限に持ち上げた状態における、該他側部の下面の、前記塗布具収容部の開口面からの高さは、好ましくは０ｍｍ以上、より好ましくは３ｍｍ以上であり、また、好ましくは１５ｍｍ以下、より好ましくは１０ｍｍ以下であり、また、好ましくは０ｍｍ以上１５ｍｍ以下、より好ましくは３ｍｍ以上１５ｍｍ以下、一層好ましくは３ｍｍ以上１０ｍｍ以下である、前記＜１１＞に記載の化粧用コンパクトケース。
【００６２】
＜１３＞
前記塗布具持上げ部材は、前記蓋体と同一の回動軸に枢着され、前記塗布具収容部に延在しており、
前記塗布具持上げ部材には、前記蓋体の回動操作によって蓋側係止部に係止して該塗布具持上げ部材を回動する係止部が設けられている、前記＜１＞〜＜１２＞の何れか１に記載の化粧用コンパクトケース。
＜１４＞
前記塗布具持上げ部材は、前記蓋体の開蓋操作に伴い、所定の角度までは前記蓋体の回動に連動して回動するが、所定の角度を超えると前記蓋体に連動せずに回動が停止する、前記＜１＞〜＜１３＞の何れか１に記載の化粧用コンパクトケース。
＜１５＞
前記塗布具持上げ部材は、蓋体の回動操作の途中で該塗布具持上げ部材の回動を制限するストッパー部を備えており、
前記塗布具持上げ部材の係止部は、該塗布具持上げ部材の回動が制限されると、前記蓋体の回動操作力によって蓋側係止部との係止を解除可能に形成されている、前記＜１３＞又は＜１４＞に記載の化粧用コンパクトケース。
＜１６＞
前記塗布具持上げ部材の係止部は、該塗布具持上げ部材の枢着部の周方向の周面に形成された、前記蝶番部の軸ピンからの距離がこれの周方向両側の部分よりも大きくなった部分であり、前記蓋側係止部は前記塗布具持上げ部材の枢着部の周方向の周面に対向して設けられている、前記＜１３＞〜＜１５＞の何れか１に載の化粧用コンパクトケース。
＜１７＞
前記ケース本体に、化粧料収容部に収容された化粧料が蓋体に設けられた鏡に付着するのを防止する保護シートが取り付けられており、閉蓋状態から開蓋状態とすることで、該保護シートが部分的に持ち上がり傾斜状態となるようになされている、前記＜１＞〜＜１６＞の何れか１に記載の化粧用コンパクトケース。
＜１８＞
前記塗布具持上げ部材に、文字又は模様が付与されている、前記＜１＞〜＜１７＞の何れか１に記載の化粧用コンパクトケース。
【００６３】
＜１９＞
前記塗布具持上げ部材は、前記塗布具収容部内に延出した部分である平板状押上げ部を有する、前記＜１＞〜＜１８＞の何れか１に記載の化粧用コンパクトケース。
＜２０＞
前記平板状押上げ部は、先端に向かって幅が狭くなる形状を有する、前記＜１９＞に記載の化粧用コンパクトケース。
＜２１＞
前記平板状押上げ部は、前記塗布具収容部の後面に、両側縁が平行な幅の広い幅広部分を有し、それより前側に、内側側面側の一側縁が湾曲し、外側側面側の他側縁が直線状で前面に向かって幅が徐徐に狭まる先端側部分を有し、また、平板状押上げ部は、横方向Ｘの中心位置が、前後方向Ｙの後方から前方に向かって、外側側面に近づく形状を有している、前記＜１９＞又は＜２０＞に記載の化粧用コンパクトケース。
＜２２＞
前記塗布具持上げ部材は、前記塗布具収容部の前後方向Ｙの中央位置においては、その全体が、塗布具収容部の横方向Ｘの中心位置Ｃｘより外側側面側に位置する、前記＜１＞〜＜２１＞の何れか１に記載の化粧用コンパクトケース。
＜２３＞
前記塗布具収容部に収容される前記塗布具は、横方向Ｘの長さが、前記塗布具収容部の同方向の長さの好ましくは６０％以上であり、より好ましくは７０％以上、更に好ましくは８０％以上であり、一層好ましくは９０％以上であり、また、好ましくは１００％未満であり、より好ましくは９９％以下であり、更に好ましくは９５％以下であり、また、好ましくは６０％以上１００％未満、より好ましくは７０％以上９９％以下、更に好ましく８０％以上９５％以下、一層好ましくは９０％以上９５％以下である、前記＜１＞〜＜２２＞の何れか１に記載の化粧用コンパクトケース。
＜２４＞
前記塗布具収容部に収容される前記塗布具は、前後方向Ｙの長さが、前記塗布具収容部の同方向の長さの好ましくは６０％以上であり、より好ましくは８０％以上であり、また、好ましくは１００％未満であり、より好ましくは９５％以下であり、また好ましくは６０％以上１００％未満であり、好ましくは８０％以上９５％以下ある、前記＜１＞〜＜２２＞の何れか１に記載の化粧用コンパクトケース。
＜２５＞
前記化粧用コンパクトケースは、前記塗布具収容部の底部に、前記塗布具持上げ部材に対応する形状の収容凹部が形成されている、前記＜１＞〜＜２４＞の何れか１に記載の化粧用コンパクトケース。
【００６４】
＜２６＞
前記保護シートは、前記蓋体の閉蓋時に化粧料の上面を覆う本体部分と、該本体部分から突出し、前記ケース本体に取り付けるための取り付け片とを有している、前記＜１７＞〜＜２５＞の何れか１に記載の化粧用コンパクトケース。
＜２７＞
前記保護シートは、前記取り付け片の突出方向の先端側から順に、折り返し部，第１ヒンジ部及び第２ヒンジ部を有し、先端縁と折り返し部との間の先端部、折り返し部と第１ヒンジ部との間の中間部、及び第１ヒンジ部と第２ヒンジ部との間の基端部に区分される、前記＜２６＞に記載の化粧用コンパクトケース。
＜２８＞
前記取り付け片は、折り返された先端部の一部が、折り返されていない部分の一側縁から突出して、該取り付け片の片側に、前記アンカー部を形成している、前記＜２７＞に記載の化粧用コンパクトケース。
【符号の説明】
【００６５】
１  化粧用コンパクトケース
２  化粧料
４  塗布具
４ａ  一側部（傾斜下端側の側部）
４ｂ  他側部（傾斜下端側の側部）
１１  ケース本体
１２  化粧料収容部
１３  塗布具収容部
１３ａ  内側側面
１３ｂ  外側側面
１３ｃ  前面
１３ｄ  後面
１４  蝶番部
１５  蓋体
１６  軸ピン
１７  底部
１８  塗布具持ち上げ部材
１９  枢着部
３４  平板状押上げ部
３６  収容凹部
【図１】
2014233412.tif 000003
【図２】
2014233412.tif 000004
【図３】
2014233412.tif 000005
【図４】
2014233412.tif 000006
【図５】
2014233412.tif 000007
【図６】
2014233412.tif 000008
【図７】
2014233412.tif 000009
【図８】
2014233412.tif 000010
【図９】
2014233412.tif 000011
【図１０】
2014233412.tif 000012
【図１１】
2014233412.tif 000013
【図１２】
2014233412.tif 000014
【図１３】
2014233412.tif 000015
【図１４】
2014233412.tif 000016
【図１５】
2014233412.tif 000017
【図１６】
2014233412.tif 000018